(57)【要約】【課題】公共の場や家庭内等に設置されているテレビに対する故意または過失による操作を防止したり、幼児、児童による誤操作を防止すること。【解決手段】テレビ本体と、テレビ本体の各種機能を遠隔操作するリモコンとからなるテレビにおいて、テレビ本体とリモコンに設けられた操作ボタンの機能をロックする操作ボタンロック装置１がテレビ本体とリモコンとに設けられること。また、操作ボタンロック装置１は、非突起形状のダイレクト操作型スイッチであること。テレビ本体に設けた操作ボタンロック装置１は、テレビ本体の操作ボタンの機能をロックするテレビ本体ロック機能３と、リモコンの操作ボタンの機能をロックするリモコンロック機能４と、テレビ本体とリモコンの操作ボタンの機能をロックする全ロック機能５と、を設定可能である。【選択図】図１
2007300322.tif 000002
【特許請求の範囲】
【請求項１】
ディスプレイを含むテレビ本体と、前記テレビ本体の各種機能を遠隔操作するリモコンと、からなるテレビにおいて、
前記テレビ本体と前記リモコンに設けられた操作ボタンの機能をロックする操作ボタンロック装置が前記テレビ本体と前記リモコンとに設けられる
ことを特徴とする操作ボタンロック装置。
【請求項２】
請求項１において、
前記操作ボタンロック装置は、非突起形状のダイレクト操作型スイッチであることを特徴とする操作ボタンロック装置。
【請求項３】
請求項１または２において、
前記テレビ本体に設けた操作ボタンロック装置は、前記テレビ本体の操作ボタンの機能をロックするテレビ本体ロック機能と、前記リモコンの操作ボタンの機能をロックするリモコンロック機能と、前記テレビ本体と前記リモコンの操作ボタンの機能をロックする全ロック機能と、を設定可能である
ことを特徴とする操作ボタンロック装置。
【請求項４】
請求項１または２において、
前記リモコンに設けた操作ボタンロック装置は、前記リモコンの操作ボタンの機能をロックするリモコンロック機能と、前記リモコンロック機能を解除する解除機能と、を設定可能である
ことを特徴とする操作ボタンロック装置。
【請求項５】
請求項１ないし４のいずれか１つの請求項に記載された前記テレビ本体に代えて、ビデオ、ＤＶＤなどの映像機器とそのリモコンに設置した操作ボタンロック装置。
【発明の詳細な説明】
【技術分野】
【０００１】
イベントホールや公民館、スポーツクラブ、展示会、駅、空港等の不特定多数の人が集まる公共の場所に設置されているテレビ（映像機器）において、故意または過失によるテレビ本体の操作ボタンやリモコンでの操作を防止するため、また、家庭内、保育施設、学校等における、幼児、児童による誤操作を防止するためのテレビ（映像機器）の操作ボタンロック装置に関する。
【背景技術】
【０００２】
テレビ装置や記録再生装置等の電子機器を操作するためのリモコンや操作パネルの操作キーに対するキーロックを設定する技術は、例えば、特許文献１に開示されている。この特許文献１によると、キーロックしたい操作キーを操作することにより、入力された操作キーに対する操作キー情報が表示され、この表示を確認しながらキーロック設定を行うことができ、設定ミスを防止できる。しかも、所望の操作キーを操作するだけでキーロックの設定、解除を行えるので、操作が簡単である旨を記述している。
【０００３】
また、不特定人が集まるホールなどに設置されるテレビ受像機において、不意なキー操作を排除するために、リモコン送信機のキーを無効化設定できるリモコンロックシステムが、例えば、特許文献２に提案されている。この特許文献２によると、メーカー側で設定した特定キーを一律的に無効化するものではなくて、ユーザが無効化を望むキーを任意に設定することができるものである。
【０００４】
また、リモコンに設けられた多数の機能キーのうち、使用頻度の少ない特定キーを処置時間押しているとき、本来の機能を無視して電子機器制御キーロック機能を行い得ることが、例えば、特許文献３に開示されています。この特許文献３によると、リモコンロックモードを設定したいとき、リモコンの操作部に別途の機能キーを設置する必要のないものである。
【特許文献１】特開２００５−１５９９２６号公報
【特許文献２】特開２００４−５６５２９号公報
【特許文献３】特開平１０−２００９７０号公報
【発明の開示】
【発明が解決しようとする課題】
【０００５】
上述したように、テレビの操作は誰でもが簡単にできてしまうため、公共の場等にキー設定を固定して設置したい場合でも、たやすく変更される可能性がある。また、家庭内、保育施設、学校等における、幼児、児童による誤操作も考えられる。
【０００６】
これらを防止するための従来の技術として、「メニュー設定により、本体のボタン操作や、リモコン操作が効かないようにする」ものがあるが、「テレビ本体の操作ボタンロック」か、または「リモコン操作ロック」かの片方ずつしか設定できず、結果として、設定されていない方での操作が可能となってしまっていた（例えば、特許文献１を参照）。
【０００７】
さらに、本体の電源ボタンはロック機能から外されていて、テレビ本体の操作ボタンのロックを設定しても電源の入り切りはできてしまい、完全なロックができないものもある。
【０００８】
また、「任意のリモコンキーをロックする」技術を開示したものはあるが（例えば、特許文献２を参照）、任意キーのみのロックで、操作全般のロックはできず、また、解除に暗証番号を必要とする等、手間がかかり、操作も複雑で近い勝手が良くないという課題があった。
【０００９】
本発明の目的は、テレビ等の映像機器の各種操作ボタンの機能をロックする操作ボタンロック装置を機器本体とリモコンに設置することで、公共の場や家庭内等に設置されているテレビに対する故意または過失による操作を防止したり、幼児、児童による誤操作を防止する操作ボタンロック装置を提供することにある。
【課題を解決するための手段】
【００１０】
前記課題を解決するために、本発明は主として次のような構成を採用する。  
ディスプレイを含むテレビ本体と、前記テレビ本体の各種機能を遠隔操作するリモコンと、からなるテレビにおいて、前記テレビ本体と前記リモコンに設けられた操作ボタンの機能をロックする操作ボタンロック装置が前記テレビ本体と前記リモコンとに設けられる構成とする。
【００１１】
また、前記操作ボタンロック装置において、前記操作ボタンロック装置は、非突起形状のダイレクト操作型スイッチである構成とする。さらに、前記操作ボタンロック装置において、前記テレビ本体に設けた操作ボタンロック装置は、前記テレビ本体の操作ボタンの機能をロックするテレビ本体ロック機能と、前記リモコンの操作ボタンの機能をロックするリモコンロック機能と、前記テレビ本体と前記リモコンの操作ボタンの機能をロックする全ロック機能と、を設定可能である構成とする。さらに、操作ボタンロック装置において、前記リモコンに設けた操作ボタンロック装置は、前記リモコンの操作ボタンの機能をロックするリモコンロック機能と、前記リモコンロック機能を解除する解除機能と、を設定可能である構成とする。
【発明の効果】
【００１２】
本発明によると、テレビにおけるテレビ本体および／またはリモコンに操作ボタンロック装置を設置することによって、テレビ本体の操作ボタンやリモコン操作をロックすることができ、公共の場等に設置されているテレビに対する故意または過失による操作を防止することができる。また、家庭内、保育施設、学校等において、幼児、児童による誤操作を防止することができる。
【００１３】
さらに、この操作ボタンロック装置を利用することで、不用意な操作を回避することができ、消費電力の抑制が可能となる。
【００１４】
また、本実施形態における操作ボタンロック装置をダイレクト操作型スイッチとすることによって、必要なときに、素早く、簡単に、確実に操作でき、操作性を向上することができる。
【００１５】
また、テレビにおけるテレビ本体とリモコンに設置した操作ボタンロック装置で個別にロックできることで、用途や環境に合わせた切り替え利用が可能となり、公共の場等に設置されているテレビに対する故意または過失による操作を防止でき、設置環境に合わせた利用ができて、ユーザービリティに配慮した仕様を実現することができる。
【発明を実施するための最良の形態】
【００１６】
本発明の実施形態に係るテレビの操作ボタンロック装置について、図１〜図４を参照しながら以下説明する。図１は本発明の実施形態に係るテレビのテレビ本体に設けられた操作ボタンロック装置とその動作態様を説明する図である。図２は本発明の実施形態に係るテレビのリモコンに設けられた操作ボタンロック装置とその動作態様を説明する図である。図３は本実施形態に関するテレビ本体の操作ボタンロック装置の各動作態様時における具体的動作内容を説明する図である。図４は本実施形態に関するリモコンの操作ボタンロック装置の各動作態様時における具体的動作内容を説明する図である。
【００１７】
図１〜図４において、１はテレビ本体操作ボタンロック装置、２は解除位置、３は本体ロック位置、４はリモコンロック位置、５は全（両方）ロック位置、１１はリモコン操作ボタンロック装置、１２は解除位置、１３はリモコンロック位置、をそれぞれ表す。
【００１８】
本発明の実施形態に係るテレビは、テレビ本体と、このテレビ本体を遠隔操作するリモコンとからなり、テレビ本体とリモコンのそれぞれに操作ボタンロック装置１と１１を設置する。これらの操作ボタンロック装置１，１１は、図示するようにスライド式のスイッチとしている。テレビ本体のスイッチは、解除位置２と、本体ロック位置３と、リモコンロック位置４と、テレビ本体とリモコンの両方をロックする全ロック位置５と、を選定できる。図１の（２）には、スイッチがそれぞれの位置にスライドした状態を示している。
【００１９】
また、リモコンのスイッチは、解除位置１２と、リモコンロック位置１３と、を選定できる。図２の（２）には、スイッチがリモコンロック位置１３（リモコンの操作ボタンのロックが可能）にスライドした状態を示している。
【００２０】
そして、本実施形態に係る操作ボタンロック装置は、そのスライド式スイッチのボタンが、突起しないような形状とし、細いペン先等での操作でスライドできるような形状とする。テレビ本体の設置時または移動の際、スライド式スイッチのボタンに触れることでの怪我が無いように、また、設置場所の周囲を傷付けることの無いように、安全性への配慮を施す。さらに、デザインを損ねることの無いよう配慮する。当然のことではあるが、ボタンに触れて誤操作をしないように形状が選定される（誤ってスイッチ操作されることの無いような構造を選ぶ）。
【００２１】
次に、本実施形態に係る操作ボタンロック装置の設定位置における動作態様について、図３と図４を用いて説明する。図１に示すテレビ本体に設けられた操作ボタンロック装置１を、スイッチを移動させて本体ロック位置３に設定すると、テレビ本体の各種操作ボタンの回路を遮断し、これらの操作ボタンが押圧されてもその押圧信号が伝達しないようにする。したがって、テレビ本体の各種操作ボタンがロックされることとなる。
【００２２】
また、図１の（２）に示すように、リモコンロック位置４に設定すると、テレビ本体内のリモコン受光部を遮断し、リモコンから送信されてくる信号を伝達しないようにする。したがって、リモコンからの操作ボタンの信号を遮断してロックすることとなる。さらに、操作ボタンロック装置１を、スイッチを移動させて全ロック位置３に設定すると、テレビ本体の操作ボタン回路とリモコン受光部とを遮断する。これによって、テレビ本体とリモコンの全ての操作をロックすることができる。
【００２３】
また、図４に示すように、リモコンに設置した操作ボタンロック装置１１をリモコンロック位置１３に設定すると、リモコンの電源供給回路を遮断する。これによって、リモコンにおける各種操作をロックすることができる。さらに、テレビ本体とリモコンの設置された操作ボタンロック装置１，１１はいずれも解除位置２，１２が選定でき、これを選定することでロックを解除することができるようになっている。
【００２４】
以上説明したように、本発明の実施形態に係るテレビの操作ボタンロック装置は、次のような構成を有して機能や作用を奏することを特徴とするものである。すなわち、「操作ボタンロック装置」をテレビの機能として設置し、この設置により、テレビ本体の操作ボタンや、リモコンの操作がロックされる。したがって、公共の場等に設置されているテレビに対する故意または過失による操作を防止することができる。また、家庭内、保育施設、学校等における、幼児、児童による誤操作を防止するすることができる。さらに、「操作ボタンロック装置」を利用することで、不用意な操作を回避することができ消費電力の抑制が可能となる。
【００２５】
また、「操作ボタンロック装置」をダイレクト操作型スイッチとし、操作ボタンのロック設定と解除ができる。従来技術では、テレビの電源を入れてメニュー表示してからロック設定する、また、ロック解除に暗証番号設定を必要とするものであったが、本実施形態ではダイレクト操作型スイッチのため、必要なときに、素早く、簡単に、確実に操作でき、操作性が向上する。
【００２６】
また、「操作ボタンロック機能」スイッチをテレビ本体に設置することによって、公共の場等へのテレビ設置時は、故意または過失による操作を防止できる。また、家庭内、保育施設、学校等における、幼児、児童による誤操作を防止できる。なお、「操作ボタンロック装置」スイッチのテレビ本体への配置を、側面または背面に施すことで、公共の場や展示会設置時は、壁や、展示台を利用してスイッチが表に出ないようにテレビ本体に設置すれば、より誤操作防止の効果を上げることができる。背面または側面に取り付ける効果として、デザインへの影響がないことが挙げられる。
【００２７】
また、「操作ボタンロック装置」スイッチを、リモコン本体に設置することによって、公共の場、家庭内、保育施設、学校等における、幼児、児童によるリモコン操作の誤操作を防止する。なお、「操作ボタンロック機能」スイッチのリモコン本体への配置を、側面または背面に施すことで、公共の場や展示会設置時は、壁や、展示台を利用してスイッチが表に出ないようにリモコン本体を設置すれば、より誤操作防止の効果を上げることができる。背面または側面に取り付ける効果として更には、デザインへの影響がないことが挙げられる。
【００２８】
また、テレビ本体に設けた「操作ボタンロック装置」で、「テレビ本体操作ボタン」、「リモコン」、「テレビ本体操作ボタンとリモコン」のロックが設定できる。個々にロックできることで、用途や環境に合わせた切り替え利用が可能となり、公共の場等に設置されているテレビに対する故意または過失による操作を防止でき、設置環境に合わせた利用ができて、ユーザービリティに配慮した仕様を実現できる。
【００２９】
また、リモコンに設けた「操作ボタンロック装置」で、リモコンのロックを設定でき、これによって、リモコン操作を一時的にロックする必要がある場合等に便利である。例えば、保護者等が幼児や児童の誤操作を防止するためのロックを設定する際、テレビ本体側では、「操作ボタンロック装置」のテレビ本体操作ボタンのみを設定し、リモコン側で「操作ボタンロック装置」を設定し、リモコン操作をロックすれば、テレビの操作ボタンに加え、リモコン操作もロックされる。必要に応じて、リモコン側のロックを解除することで、リモコンでのテレビ操作を再開できる。
【００３０】
また、操作ボタンロック装置」はテレビのみならず、ビデオ、ＤＶＤ等、映像機器の本体、及びリモコンに適用できるものであることを特徴とする。
【図面の簡単な説明】
【００３１】
【図１】本発明の実施形態に係るテレビのテレビ本体に設けられた操作ボタンロック装置とその動作態様を説明する図である。
【図２】本発明の実施形態に係るテレビのリモコンに設けられた操作ボタンロック装置とその動作態様を説明する図である。
【図３】本実施形態に関するテレビ本体の操作ボタンロック装置の各動作態様時における具体的動作内容を説明する図である。
【図４】本実施形態に関するリモコンの操作ボタンロック装置の各動作態様時における具体的動作内容を説明する図である。
【符号の説明】
【００３２】
１  テレビ本体操作ボタンロック装置
２  解除位置
３  本体ロック位置
４  リモコンロック位置
５  全（両方）ロック位置
１１  リモコン操作ボタンロック装置
１２  解除位置
１３  リモコンロック位置
【図１】
2007300322.tif 000003
【図２】
2007300322.tif 000004
【図３】
2007300322.tif 000005
【図４】
2007300322.tif 000006